(57)【要約】【課題】好みの絵画が描かれた作品台紙の作品部分を永年に渡って格調高く表示できると共に、曜日及び日付が記載された月表台紙を所定の月分ごとに替えて表示できる額装されたカレンダー及び額縁を提供する。【解決手段】絵画が描かれた作品台紙と曜日及び日付が記載された月表台紙とを額縁１４に納めた、額装されたカレンダー１１であって、額装されたカレンダーは、作品台紙の作品部分１２ａと月表台紙の月表部分１３ａとを表示するため複数箇所に窓部１５ａ、１５ｂを設けた第１マット１６を、作品台紙及び月表台紙に沿って配設する構成である。【選択図】図１
2020029082.tif 000002
【特許請求の範囲】
【請求項１】
絵画が描かれた作品台紙と曜日及び日付が記載された月表台紙とを額縁に納めた、額装されたカレンダーであって、
該額装されたカレンダーは、
前記作品台紙の作品部分と前記月表台紙の月表部分とを表示するため複数箇所に窓部を設けた第１マットを、前記作品台紙及び前記月表台紙に沿って配設する構成であること
を特徴とする額装されたカレンダー。
【請求項２】
絵画が描かれた作品台紙と曜日及び日付が記載された月表台紙とを額縁に納めた、額装されたカレンダーであって、
該額装されたカレンダーは、
前記作品台紙の作品部分を表示するため１箇所に窓部を設けた第２マットを、前記作品台紙に沿って配設する構成であること
を特徴とする額装されたカレンダー。
【請求項３】
絵画が描かれた作品台紙と曜日及び日付が記載された月表台紙とを額縁に納めた、額装されたカレンダーであって、
該額装されたカレンダーは、
前記作品台紙の作品部分を表示するため１箇所に窓部を設けた第２マットを、前記作品台紙に沿って配設し、
前記月表台紙は、前記第２マットの表面に沿って配設する構成であること
を特徴とする額装されたカレンダー。
【請求項４】
前記作品台紙は、複数種類が前記額縁に納められ、これらのうちから任意に選択した作品台紙の作品部分を表示できる構成であること
を特徴とする請求項１、２又は３のいずれかに記載の額装されたカレンダー。
【請求項５】
前記月表台紙は、所定の月分を表示した複数枚が前記額縁に納められ、これらのうちから選択した月表台紙の月表部分を表示できる構成であること
を特徴とする請求項１又は３のいずれかに記載の額装されたカレンダー。
【請求項６】
長方形状又は正方形状のフレームと、該フレームの内側に配設され少なくとも四隅に磁石を備える裏板とからなる額縁本体と、
絵画又は写真が描かれた作品台紙と、
曜日及び日付が記載された月表台紙と、
前記作品台紙の作品部分と前記月表台紙の月表部分とを表示するため複数箇所に窓部が形成され、前記磁石に磁着させる金属板が取り付けられた第３マットと、
前記作品台紙の作品部分を表示するため１箇所に窓部が形成され、前記磁石に磁着させる金属板が取り付けられた第４マットと、からなり、
前記額縁本体にセットした作品台紙及び月表台紙に沿って、前記第３マット又は前記第４マットのいずれかを配設して、前記金属板を前記磁石に磁着させる構成であること
を特徴とする額縁。
【請求項７】
長方形状又は正方形状のフレームと、該フレームの内側に配設され少なくとも四隅に磁石を備える裏板とからなる額縁本体と、
絵画、写真及び月表が描かれた作品台紙の作品部分を表示するため１箇所に窓部が形成され、前記磁石に磁着させる金属板が取り付けられた第４マットと、からなり、
前記額縁本体にセットした作品台紙に沿って、前記第４マットを配設して、前記金属板を前記磁石に磁着させる構成であること
を特徴とする額縁。
【請求項８】
前記裏板には、前記作品台紙を裏側から押し上げるための孔部が形成されていること
を特徴とする請求項６又は７のいずれかに記載の額装された額縁。
【発明の詳細な説明】
【技術分野】
【０００１】
本発明は、高画質で好みの絵画が描かれた作品台紙の作品部分を永年に渡って格調高く表示できると共に、曜日及び日付が記載された月表台紙を所定の月分ごとに替えて表示できる額装されたカレンダー及び額縁に関するものである。
【背景技術】
【０００２】
従来、一般的に使用されるカレンダーは、図１０に示すように、複数枚、例えば６〜７枚程度のカレンダー台紙１が上端側２で綴られている。カレンダー台紙１は、上方に絵画が描かれた作品部分３を有し、その下方に曜日及び日付が記載された月表部分４を有している。
【０００３】
なお、特開２００９−４５４０５号公報には、額縁のカレンダー保持構造の発明が開示されており（特許文献１参照）、実用新案登録第３２０２４０１号公報には、万年カレンダーを設けた額縁の発明が開示されている（特許文献２参照）。
【先行技術文献】
【特許文献】
【０００４】
【特許文献１】特開２００９−４５４０５号公報
【特許文献２】実用新案登録第３２０２４０１号公報
【発明の概要】
【発明が解決しようとする課題】
【０００５】
この従来例のカレンダーにおいては、所定の月が経過するごとに、経過した月分のカレンダー台紙１を切り取って破棄し、次の月分が記載される新たなカレンダー台紙１を表示して使用する。
【０００６】
この場合、作品部分３が高画質で好みの絵画が描かれたカレンダー台紙１であっても、切り取って破棄することとなり、絵画の愛好者であれば誠に残念至極であるという問題点を有している。
【０００７】
従って、従来例におけるカレンダーにおいては、高画質で好みの絵画が描かれた作品部分３を永年に渡って、かつ格調高く表示できると共に、月表部分４は所定の月分ごとに替えて表示できることに解決しなければならない課題を有している。
【課題を解決するための手段】
【０００８】
前記従来例の課題を解決するための本発明の要旨は、絵画が描かれた作品台紙と曜日及び日付が記載された月表台紙とを額縁に納めた、額装されたカレンダーであって、該額装されたカレンダーは、前記作品台紙の作品部分と前記月表台紙の月表部分とを表示するため複数箇所に窓部を設けた第１マットを、前記作品台紙及び前記月表台紙に沿って配設する構成である。
【０００９】
前記従来例の課題を解決するための本発明の要旨は、絵画が描かれた作品台紙と曜日及び日付が記載された月表台紙とを額縁に納めた、額装されたカレンダーであって、該額装されたカレンダーは、前記作品台紙の作品部分を表示するため１箇所に窓部を設けた第２マットを、前記作品台紙に沿って配設する構成である。
【００１０】
前記従来例の課題を解決するための本発明の要旨は、絵画が描かれた作品台紙と曜日及び日付が記載された月表台紙とを額縁に納めた、額装されたカレンダーであって、該額装されたカレンダーは、前記作品台紙の作品部分を表示するため１箇所に窓部を設けた第２マットを、前記作品台紙に沿って配設し、前記月表台紙は、前記第２マットの表面に沿って配設する構成である。
【００１１】
また、前記作品台紙は、複数種類が前記額縁に納められ、これらのうちから任意に選択した作品台紙の作品部分を表示できる構成であること、；
前記月表台紙は、所定の月分を表示した複数枚が前記額縁に納められ、これらのうちから選択した月表台紙の月表部分を表示できる構成であること、；
を含むものである。
【００１２】
前記従来例の課題を解決するための本発明の要旨は、長方形状又は正方形状のフレームと、該フレームの内側に配設され少なくとも四隅に磁石を備える裏板とからなる額縁本体と、絵画又は写真が描かれた作品台紙と、曜日及び日付が記載された月表台紙と、前記作品台紙の作品部分と前記月表台紙の月表部分とを表示するため複数箇所に窓部が形成され、前記磁石に磁着させる金属板が取り付けられた第３マットと、前記作品台紙の作品部分を表示するため１箇所に窓部が形成され、前記磁石に磁着させる金属板が取り付けられた第４マットと、からなり、前記額縁本体にセットした作品台紙及び月表台紙に沿って、前記第３マット又は前記第４マットのいずれかを配設して、前記金属板を前記磁石に磁着させる構成である。
【００１３】
前記従来例の課題を解決するための本発明の要旨は、長方形状又は正方形状のフレームと、該フレームの内側に配設され少なくとも四隅に磁石を備える裏板とからなる額縁本体と、絵画、写真及び月表が描かれた作品台紙の作品部分を表示するため１箇所に窓部が形成され、前記磁石に磁着させる金属板が取り付けられた第４マットと、からなり、前記額縁本体にセットした作品台紙に沿って、前記第４マットを配設して、前記金属板を前記磁石に磁着させる構成である。
【００１４】
また、前記裏板には、前記作品台紙を裏側から押し上げるための孔部が形成されていること、；
を含むものである。
【発明の効果】
【００１５】
本発明の請求項１乃至３に係る額装されたカレンダーによれば、高画質、高価等の好みの絵画が描かれた作品台紙の作品部分を永年に渡って格調が高い状態で表示できる。また、月表台紙は所定の月分ごとに替えて表示できる。
更には、作品台紙の作品部分のみを永年に渡って格調が高い状態で表示することも可能である。
具体的には、第１マットを使用して、額縁に作品台紙の作品部分と月表台紙の月表部分を表示できる。
また、第２マットを使用して額縁に作品台紙の作品部分のみを表示することも可能であるという種々の優れた効果を奏する。
【００１６】
作品台紙は、複数種類が額縁に納められ、これらのうちから任意に選択した作品台紙の作品部分を表示できる構成であることによって、好みの絵画が描かれた作品台紙を選択して、その作品部分を永年に渡って、格調が高い状態で表示できるという優れた効果を奏する。
【００１７】
月表台紙は、所定の月分を表示した複数枚が額縁に納められ、これらのうちから選択した月表台紙の月表部分を表示できる構成であることによって、作品部分は永年に渡って表示できる一方で、月表部分は所定の月分に替えて表示できるという優れた効果を奏する。
【００１８】
本発明の請求項６又は７に係る額縁によれば、高画質、高価等の好みの絵画が描かれた作品台紙の作品部分を永年に渡って格調が高い状態で表示できる。また、月表台紙は所定の月分ごとに替えて表示できる。
更には、作品台紙の作品部分のみを永年に渡って格調が高い状態で表示することも可能である。
具体的には、第３マットを使用して、作品台紙の作品部分と月表台紙の月表部分を表示できる。
また、第４マットを使用して作品台紙の作品部分のみを表示することも可能である。
特に、第３マット又は第４マットの金属板を裏板の磁石に磁着させるだけで、作品台紙及び月表台紙を簡単に額装できるので、これらの入れ替え（交換）が極めて簡単に行えるという種々の優れた効果を奏する。
【００１９】
裏板には、作品台紙を裏側から押し上げるための孔部が形成されていることによって、作品台紙を入れ替えるときに、孔部から指を差し入れて、作品台紙を押し上げれば簡単に取り外すことができるという優れた効果を奏する。
【図面の簡単な説明】
【００２０】
【図１】本発明の第１実施例に係る額装されたカレンダーの正面図である。
【図２】本発明の第１実施例に係る額装されたカレンダーの側面の概略を示す断面図である。
【図３】本発明の第２実施例に係る額装されたカレンダーの正面図である。
【図４】本発明の第２実施例に係る額装されたカレンダーの側面の概略を示す断面図である。
【図５】本発明の第３実施例に係る額装されたカレンダーの正面図である。
【図６】本発明の第３実施例に係る額装されたカレンダーの側面の概略を示す断面図である。
【図７】第１マットの正面図である。
【図８】第２マットの正面図である。
【図９】（イ）作品台紙の正面図である。（ロ）月表台紙の正面図である。
【図１０】従来例に係るカレンダーの正面図である。
【図１１】（イ）本発明に係る額縁の、月表部分を表示した正面図である。（ロ）本発明に係る額縁の、月表部分を表示した斜視図である。
【図１２】（イ）本発明に係る額縁の、月表部分を表示しない正面図である。（ロ）本発明に係る額縁の、月表部分を表示しない斜視図である。
【図１３】額縁本体の正面図である。
【図１４】（イ）作品台紙の正面図である。（ロ）月表台紙の正面図である。
【図１５】第３マットの裏側の正面図である。
【図１６】第４マットの裏側の正面図である。
【発明を実施するための形態】
【００２１】
次に、本発明の実施の形態について図面を参照しながら説明する。まず、図１において、符号１１は額装されたカレンダーを示し、この額装されたカレンダー１１は、好みの絵画が描かれた作品台紙１２の作品部分１２ａを永年に渡って格調高く表示できると共に、曜日及び日付が記載された月表台紙１３の月表部分１３ａを所定の月分ごとに替えて表示できる構成である。
【００２２】
額装されたカレンダー１１は、絵画が描かれた複数種類の作品台紙１２（図９(イ)参照）と、曜日及び日付が記載された複数枚の月表台紙１３（図９(ロ)参照）とが額縁１４の内部に収納されている。
【００２３】
即ち、図９（イ）に示す作品台紙１２は、複数種類が額縁１４に納められており、これらのうちから任意に選択した作品台紙１２の作品部分１２ａを表示できる。つまり、好みの絵画が描かれた作品台紙１２を選択して、作品部分１２ａを永年に渡って格調が高い状態で表示できる。
【００２４】
また、図９（ロ）に示す月表台紙１３は、所定の月分を表示した複数枚が額縁１４に納められており、これらのうちから選択した月分の月表台紙１３の月表部分１３ａを表示できる。つまり、作品部分１２ａは永年に渡って表示できる一方で、月表部分１３ａは所定の月分に替えて表示できる。
【実施例１】
【００２５】
額縁１４は、図１に示すように、矩形状で枠形に形成されるフレーム１９と、フレーム１９の内側に配設される透明板２０と、透明板２０に沿って配設される第１マット１６と、フレーム１９の裏側から施蓋する裏蓋（図示せず）とを有する。
【００２６】
第１マット１６は、図７に示すように、矩形状に形成されて、上方に大きめな窓部１５ａを有しており、この窓部１５ａから、絵画が描かれた作品台紙１２の作品部分１２ａを表示する（図２参照）。
また、下方には小形の窓部１５ｂを有しており、この窓部１５ｂから、曜日及び日付が記載された月表台紙１３の月表部分１３ａを表示する（図２参照）。
なお、図５では、窓部１５ｂが２箇所に示されているが、月表の数によっては、窓部１５ｂの数が１箇所又は複数箇所のものを使用すればよい。
【００２７】
このように、第１実施例に係る額装されたカレンダー１１は、図１及び図２に示すように、作品部分１２ａと月表部分１３ａとを表示するため複数箇所に窓部１５ａ、１５ｂを設けた第１マット１６（図７参照）を作品台紙１２及び月表台紙１３に沿って配設した構成である。
【実施例２】
【００２８】
次に、第２実施例の額装されたカレンダー２１について説明する。この第２実施例において、前記第１実施例の額装されたカレンダー１１と同一部分には同一符号を付してその詳細は省略する。
【００２９】
額縁１４は、図３に示すように、矩形状で枠形に形成されるフレーム１９と、フレーム１９の内側に配設される透明板２０と、透明板２０に沿って配設される第２マット１８と、フレーム１９の裏側から施蓋する裏蓋（図示せず）とを有する。
【００３０】
第２マット１８は、図８に示すように、矩形状に形成されて、上方に大きめな窓部１７を有しており、この窓部１７から絵画が描かれた作品台紙１２の作品部分１２ａを表示する。
【００３１】
このように、第２実施例に係る額装されたカレンダー２１は、図３及び図４に示すように、作品部分１２ａを表示するため１箇所に窓部１７を設けた第２マット１８（図８参照）を作品台紙１２及び月表台紙１３に沿って配設した構成である。この場合は、月表部分１３ａを表示せずに、作品部分１２のみを表示することとなる。
【実施例３】
【００３２】
次に、第３実施例の額装されたカレンダー２２について説明する。この第３実施例において、前記第１実施例の額装されたカレンダー２１と同一部分には同一符号を付してその詳細は省略する。
【００３３】
第３実施例に係る額装されたカレンダー２２は、図５に示すように、絵画が描かれた作品台紙１２と、曜日及び日付が記載された月表台紙１３とが額縁１４の内部に収納されている。
【００３４】
そして、第２マット１８を作品台紙１２に沿って配設して、第２マット１８の窓部１７から作品部分１２ａを表示する。月表台紙１３は、第２マット１８の表面に沿って配設する構成である（図６参照）。
【００３５】
以上のように構成される額装されたカレンダー１１、２２は、高画質、高価等の好みの絵画が描かれた作品台紙１２の作品部分１２ａを永年に渡って、格調が高い状態で表示できる。また、月表台紙１３の月表部分１３ａは所定の月分ごとに替えて表示できる。
更には、額装されたカレンダー２１は、作品台紙１２の作品部分１２ａを永年に渡って格調が高い状態で表示することが可能である。
【００３６】
次に、図１１（イ）（ロ）及び図１２（イ）（ロ）に示す額縁３１について説明する。額縁３１は、フレーム３２とフレーム３２の内側に配設され四隅に磁石３３を備える裏板３４とからなる額縁本体３５と（図１３参照）、絵画又は写真が描かれた作品台紙３６と（図１４（イ）参照）、曜日及び日付が記載された月表台紙３７と（図１４（ロ）参照）、作品台紙３６の作品部分３６ａと月表台紙３７の月表部分３７ａとを表示するため２箇所に窓部３８ａ、３８ｂが形成され、磁石３３に磁着させる金属板３９が取り付けられた第３マット４０と（図１５参照）、作品台紙３６の作品部分３６ａを表示するため１箇所に窓部４１が形成され、磁石３３に磁着させる金属板４２が取り付けられた第４マット４３と（図１６参照）からなり、額縁本体３５にセットした作品台紙３６及び月表台紙３７に沿って、第３マット４０又は第４マット４３のいずれか一方を配設して、金属板３９又は金属板４２を磁石３３に磁着させる構成である。
【００３７】
この場合、第３マット４０を使用したときは、作品台紙３６の作品部分３６ａと月表台紙３７の月表部分３７ａとを表示することとなる（図１１（イ）（ロ）参照）。
一方、第４マット４３を使用したときは、月表部分３７ａを表示せずに、作品部分３６のみを表示することとなる（図１２（イ）（ロ）参照）。
【００３８】
額縁本体３５は、図１３に示すように、フレーム３２と、フレーム３２の内側に配設される裏板３４とからなる。
フレーム３２は、厚さが薄手の板状材料を使用して、長方形状に形成される。
裏板３４は、長方形状に形成されると共にフレーム３２の内側に固定した状態に配設され、少なくとも四隅に磁石３３を備える。また、裏板３４には、孔部４４が形成されており、この孔部４４に後ろから指を差し入れて、作品台紙３６を押し上げることができるようになっている。従って、作品台紙３６を入れ替えるときに便利である。
【００３９】
作品台紙３６は、額縁本体３５の裏板３４に沿ってピッタリと収まる形状、大きさに形成されており、図１４（イ）に示すように、正面に絵画、写真、漫画、模様、文字、数字等が描かれた作品部分３６ａと、作品部分３６ａの四方の縁部に設けられる余白部分３６ｂとからなる。
なお、図示はしないが、場合によっては作品部分３６ａに絵画等と共に曜日及び日付からなる月表を記載してもよい。
【００４０】
月表台紙３７は、図１４（ロ）に示すように、曜日及び日付が記載された月表部分３７ａを有する横長の紙片であり、所定の月分ごとに替えて表示する構成である。
【００４１】
第３マット４０は、図１５に示すように、矩形状に形成されて、大きめで矩形状の窓部３８ａを有しており、この窓部３８ａから、絵画等が描かれた作品台紙３６の作品部分３６ａを表示する（図１１（イ）（ロ）参照）。
下方には小形で横長の窓部３８ｂを有しており、この窓部３８ｂから、曜日及び日付が記載された月表台紙３７の月表部分３７ａを表示する（図１１（イ）（ロ）参照）。
なお、図１５では、窓部４０ｂが１箇所に示されているが、月表の数によっては、窓部４０ｂを複数箇所に設けたものであってもよい（図示せず）。
また、第３マット４０の裏側には、図１５に示すように、裏板３４の磁石３３に磁着させるための金属板３９が四隅に取り付けられている。
【００４２】
第４マット４３は、図１６に示すように、矩形状に形成されて、大きめで矩形状の窓部４１を有しており、この窓部４１から絵画が描かれた作品台紙３６の作品部分３６ａを表示する（図１２（イ）（ロ）参照）。
また、第４マット４３の裏側には、図１６に示すように、裏板３４の磁石３３に磁着させるための金属板４２が四隅に取り付けられている。
【００４３】
以上のように構成される額縁３１は、額縁本体３５にセットした作品台紙３６及び月表台紙３７に沿って、第３マット４０又は第４マット４３のいずれかを配設して、金属板３９又は金属板４２を裏板３４の磁石３３に磁着させれば、作品台紙３６及び月表台紙３７を簡単に額装できる。
この場合、第３マット又は第４マットの金属板を裏板の磁石に磁着させるだけで、作品台紙及び月表台紙を簡単に額装できるので、これらの入れ替え（交換）が極めて簡単に行えるのである。
【００４４】
そして、高画質、高価等の好みの絵画が描かれた作品台紙３６の作品部分３６ａを永年に渡って格調が高い状態で表示できる。月表台紙３７は所定の月分ごとに替えて表示することができる。
更には、作品台紙３６の作品部分３６ａのみを永年に渡って格調が高い状態で表示することも可能である。
【符号の説明】
【００４５】
１  カレンダー台紙
２    上端側
３    作品部分
４    月表部分
１１  第１実施例に係る額装されたカレンダー
１２  作品台紙
１２ａ作品部分
１３  月表台紙
１３ａ月表部分
１４  額縁
１５ａ、１５ｂ  窓部
１６  第１マット
１７  窓部
１８  第２マット
１９  フレーム
２０  透明板
２１  第２実施例に係る額装されたカレンダー
２２  第３実施例に係る額装されたカレンダー
３１  額縁
３２  フレーム
３３  磁石
３４  裏板
３５  額縁本体
３６  作品台紙
３６ａ作品部分
３６ｂ余白部分
３７  月表台紙
３７ａ月表部分
３８ａ、３８ｂ  窓部
３９  金属板
４０  第３マット
４１  窓部
４２  金属板
４３  第４マット
４４  孔部
【図１】
2020029082.tif 000003
【図２】
2020029082.tif 000004
【図３】
2020029082.tif 000005
【図４】
2020029082.tif 000006
【図５】
2020029082.tif 000007
【図６】
2020029082.tif 000008
【図７】
2020029082.tif 000009
【図８】
2020029082.tif 000010
【図９】
2020029082.tif 000011
【図１０】
2020029082.tif 000012
【図１１】
2020029082.tif 000013
【図１２】
2020029082.tif 000014
【図１３】
2020029082.tif 000015
【図１４】
2020029082.tif 000016
【図１５】
2020029082.tif 000017
【図１６】
2020029082.tif 000018